(57)【要約】 【課題】  軽量にも拘わらず比較的大きい固定面積を有し、更に、センサホルダへのセンサの角度正しい導入を保証する。【解決手段】  センサホルダ（１）は、金属板からなり、基板（２）と、基板（２）から所定間隔をもって設置され前記基板に結合された対向板（５）とを有し、基板（２）の底面は、対向板（５）の底面よりも大きく、位置決め手段（１８，１９，２０）は、対向板（５）に構成する。【選択図】  図１
2008541106.tif 000002
【特許請求の範囲】
【請求項１】
センサ（６）を囲み且つセンサホルダ（１）にセンサ（６）を正しい角度で導入するためセンサ（６）に構成された対応相手手段（１４，１５，３０）と共働する位置決め手段（１８，１９，２０）を備えたセンサホルダ（１）によって支持部材にセンサ（６）を固定する装置において、
センサホルダ（１）が、金属板からなり、基板（２）と、基板（２）から所定間隔をもって設置され前記基板に結合された対向板（５）とを有し、
基板（２）の底面が、対向板（５）の底面よりも大きく、位置決め手段（１８，１９，２０）が、対向板（５）に構成されていること、
を特徴とする装置。
【請求項２】
底板（２）と対向板（５）との間には、側壁（３，４）が構成されていることを特徴とする請求項１の装置。
【請求項３】
１つの側壁（３）が、基板（２）および対向板（５）と一体に構成されており、他の側壁（４）および対向板（５）には、相互に係合させ得るロック機構（２１，３７）が構成されていることを特徴とする請求項２の装置。
【請求項４】
センサ（６）を被うよう橋絡する保持橋絡部材（７）が設けてあり、対向板（５）および保持橋絡部材（７）の少なくとも１つの端部には、保持橋絡部材（７）を対向板（５）に結合する連結ロック機構（８，９）が構成されていることを特徴とする請求項１−３の１つに記載の装置。
【請求項５】
対向板（５）が、センサ（６）に向くその内面に、斜面（円錐面２３）と、該斜面（２３）に続く円筒形カラー（２４）とを有することを特徴とする請求項１−４の１つに記載の装置。
【請求項６】
位置決め手段が、少なくとも２つの位置決め切欠き（１８，１９，２０）の間の角度間隔（複数）が異なるよう配置された位置決め切欠き（１８，１９，２０）であることを特徴とする請求項１−５の１つに記載の装置。
【請求項７】
対向板（５）が、受容リングとして環状に構成されていることを特徴とする請求項１−６の１つに記載の装置。                                        
【請求項８】
側壁（３，４）には、縁部切欠き（２５，２６，２７，２８）が構成されていることを特徴とする請求項１−７の１つに記載の装置。  
【請求項９】
他のセンサ（１７）の受容のため、基板（２）と一体に結合された弾性保持トング（１６）が設けてあることを特徴とする請求項１−８の１つに記載の装置。  
【発明の詳細な説明】
【技術分野】
【０００１】
本発明は、請求項１の上位概念（前置部）に記載の、支持部材にセンサを固定する装置に関する。  
【背景技術】
【０００２】
このような装置は、ＤＥ１９８０４１６５Ａ１から公知である。この装置の場合、センサを囲む中実材料からなる、特に、プラスチック材料からなる環状センサホルダが設けてある。センサホルダは、この種の装置の場合に基本的に環状の構造のセンサホルダを半径方向へ横断する切欠きから構成された位置決め手段を備えている。切欠きには、センサの保持ケージのシャフト状突起を対応部材として差込むことができ、かくして、センサは、センサホルダ内に角度正しく（所定角度に）設置される。
【特許文献１】ＤＥ１９８０４１６５Ａ１
【発明の開示】
【発明が解決しようとする課題】
【０００３】
本発明の課題は、軽量にも拘わらず比較的大きい固定面積を特徴とし、更に、センサホルダへのセンサの角度正しい導入を保証する、冒頭に述べた種類の装置を提供することにある。
【課題を解決するための手段】
【０００４】
この課題は、冒頭に述べた種類の装置において、本発明にもとづき、請求項１の特徴記載部分に開示の特徴によって解決される。
【０００５】
本発明に係る装置において、センサホルダを金属板から作製し、位置決め手段を有する対向板の底面よりも大きい底面を有する基板を使用することによって、比較的軽量なセンサホルダにおいて、更に、特にベルトコンベヤ組立操作のために事前の角度位置決めの際、効果的に実施可能な事前位置決め（設定状態）が得られ、本発明に係る装置と、例えば、融着操作によって前記装置が固定される支持部材との間に比較的大きい固定面が得られる。
【０００６】
本発明に係る装置の他の目的に適う実施形態は、従属請求項の対象である。
【発明を実施するための最良の形態】
【０００７】
以下に、実施例を参照して本発明に係る装置を詳細に説明する。
【０００８】
図１に、図示の実施例の場合に打抜き（ないしプレス）加工し、次いで、一連の折曲げ成形を行った鋼板から作製されたセンサホルダ１を有する本発明に係る装置の実施例の斜視図を示した。センサホルダ１は、基板２に対して本質的に垂直に同一方向へ向いて突出する第１側壁３および第２側壁４を形成した、外部寸法が本質上長方形の、好ましくは、正方形の基板２を有する。更に、センサホルダ１は、対向板（Gegenplatte）を備えている。図示の実施例の場合、この対向板は、基板２から所定間隔をもって（離して）設置され、第１側壁３と一体の接合部を介して且つ第２側壁４と着脱自在の他の結合部（以下に詳細に説明する）を介して上記基板に結合される受容リング５として構成されている。
【０００９】
図１の構成の場合、センサホルダ１は、円形に構成され且つＵ形状の保持橋絡（Ｕ形）部材（Haltebuegel）７を介してセンサホルダ１に保持された降雨センサ６を含む。図１の実施例の場合、保持橋絡部材７の双方の端部の範囲には、それぞれ、受容リング５に形成された係止トング８および保持橋絡部材７の各端部範囲に設置された係止凹み９によって構成された連結ロック機構が設けてある。更に、保持橋絡部材７は、脚の間にあるその部分に、固定（のための）切欠き１０，１１を有し、図１の構成の場合に視認範囲にある降雨センサ６の上面に構成されて固定ピン１２，１３は、係止切欠き１０，１１を貫通し、これらの固定切欠きの相互に向き合う端部に当接する。                          
【００１０】
更に、図１から明かな如く、降雨センサ６は、一群の位置決めピンを有し、図１の構成において視認できる位置決めピン１４，１５は、保持橋絡部材７の両側に設置され、受容リング５の方向へ延びる。
【００１１】
更に、図１から明かな如く、図示の実施例の場合、基板２には、材料選択に対応して所定の予応力（予付勢力）をもって弾性的に作用する保持トング１６が取付けてあり、この保持トングには、他のセンサとして曇りセンサ１７を着脱自在に固定できる。保持トング１６は、基板２と一体に結合されており、更に、（ガラス面の）曇り（ないし水滴付着）センサ１７を所定の押圧力によって支持部材（図１には示してない）に押圧するよう構成されている。
【００１２】
図２に、降雨センサ６，保持Ｕ形部材７および曇りセンサ１７を除いた図１の実施例の斜視図を示した。図２から明かな如く、受容リング（対向板）５には、図１の構成において視認可能な位置決め（心合せ）ピン１４，１５の位置および図１の構成において視認されない降雨センサ６の位置決めピンの位置に、降雨センサ６を規定の配向にもとづき配置した際に関連の位置決めピンと係合する位置決め切欠き（位置決め手段）１８，１９，２０が設置してある。位置決め切欠き１８，１９，２０は、少なくとも２つの位置決め切欠き１８，１９，２０の間の角度間隔が（互いに）異なり、かくして、位置決め切欠き１８，１９，２０が、センサホルダ１への降雨センサ６の角度正しい導入を保証するため位置決め手段（Indexiermittel）を形成するよう、配置されている。かくして、異なるタイプのセンサ、特に、降雨センサ６のためのコード化もなされる。
【００１３】
更に、図２から知られる如く、受容リング５には、第１側壁３との結合範囲に対向する側に、ロックトング２１が形成されており、このロックトング（係合舌部）は、受容リング５の平面に対し本質的に直角に配位され、図２の構成において、基板２に向かって延在し、基板２に対向する側において第２側壁４に背後から（つかむように）係合する。
【００１４】
更に、図２から十分に判る如く、曲げ負荷に関して受容リング５を補強するため、降雨センサ６を受容するセンサ開口部２２に向く受容リング５の内面には、基板２の方向へ向く斜面（円錐面）２３が構成されている。斜面２３には、基板２の方向へ延び、降雨センサ６の正確な位置決めを実現する円筒形カラー２４が設けてある。
【００１５】
図２から更に知られる如く、基板２から側壁３，４への移行範囲には、支持部材（図２には示してない）にセンサホルダ１を設置するための把持（掴み係合）手段（図２には示してない）および支持部材に固定した後にカバー部材（同じく図２には示してない）の係止部材が係合する縁部切欠き（複数）２５，２６，２７，２８，２９が設置してある。
【００１６】
降雨センサ６を組込んだセンサホルダ１の図１および図２の実施例の図１の視線方向とは反対側から見た斜視図を示した。第１に、降雨センサ６に関連して注意するが、図３の構成の場合、ロックトング２１の範囲に設けた位置決め切欠き２０に係合する位置決めピン（対応相手部材）３０を視認できる。更に、図３から知られる如く、降雨センサ６には、シリコーン層３１が被覆されている。
【００１７】
受容リング５に対向する基板２の側（対向側）には、支持部材（図３には示してない）に、特に、自動車の窓ガラスの内面にセンサホルダ１を固定するのに役立つ溶融接着剤パッド３２，３３，３４．３５が、センサ開口部２２に隣接させて設置してある。センサホルダ１に関して、図３から知られる如く、基板２は、図３の構成においてセンサ開口部２２に本質的に嵌装される降雨センサ６に向く基板内面に、溶融接着剤の所定の流れ限界を構成するため且つ曲げ強度の増大のため、同じく、斜面（円錐面）３６を有する。
【００１８】
更に、図３の構成から知られる如く、ロックトングの横方向へ配向され突出する端片は、この側でも受容リング５を基板２に、但しこの場合は着脱自在に、結合するため、ロックトング２１も有するロック機構の、基板２と第２側壁４との間の移行範囲に設置されたロック切欠き３７に（スナップ）係合する。
【図面の簡単な説明】
【００１９】
【図１】降雨センサおよび（ガラス面の）曇りセンサを有する本発明に係る装置の実施例の斜視図である。
【図２】センサを除いた図１の実施例の斜視図である。
【図３】図１の視線方向に対向する視野方向の図１の実施例の斜視図である。
【符号の説明】
【００２０】
１        センサホルダ
２        基板
３，４    側壁
５        対向板    
６        センサ
７        保持橋絡（Ｕ形）部材（Haltebuegel）
８        係止トング（連結ロック機構）
９        係止切欠き（連結ロック機構）
１０，１１  固定切欠き
１２，１３  固定ピン
１４，１５，３０  対向手段
１６        保持トング
１７        （ガラス面の）曇りセンサ
１８，１９，２０  位置決め手段
２１，３７  ロック機構
２２        センサダクト
２３        斜面（円錐面）
２４        カラー
２５，２６，２７，２８，２９  縁部切欠き
【図１】
2008541106.tif 000003
【図２】
2008541106.tif 000004
【図３】
2008541106.tif 000005
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
対向板（５）がセンサ（６）を囲みセンサホルダ（１）にセンサ（６）を正しい角度で導入するためセンサ（６）に構成された対応相手手段（１４，１５，３０）と共働する位置決め手段（１８，１９，２０）を備え支持部材にセンサ（６）を固定するためのセンサホルダであって、センサホルダ（１）が、金属板からなる形式のものにおいて、
側壁（３）が形成された基板（２）が設けてあり、
基板（２）および対向板（５）が相互に所定間隔をもって配設されるよう、対向板（５）が一体の結合部を介して側壁（３）に結合されており、
基板（２）の底面が対向板（５）の底面よりも大きく、位置決め手段（１８，１９，２０）が対向板（５）に構成されており、
基板（２）と対向板（５）との間には、他の側壁（３，４）が構成されており、
他の側壁（４）および対向板（５）には、相互に係合させることができ対向板（５）と他の側壁（４）との間に着脱自在な結合を構成するロック機構（２１，３７）が構成されていること
を特徴とするセンサホルダ。  
【請求項２】
センサ（６）を被うよう橋絡する保持橋絡部材（７）が設けてあり、対向板（５）および保持橋絡部材（７）の少なくとも１つの端部には、保持橋絡部材（７）を対向板（５）に結合する連結ロック機構（８，９）が構成されていることを特徴とする請求項１に記載の装置。
【請求項３】
対向板（５）が、センサ（６）に向くその内面に、斜面（円錐面２３）と、該斜面（２３）に続く円筒形カラー（２４）とを有することを特徴とする請求項１又は２に記載の装置。
【請求項４】
位置決め手段が、少なくとも２つの位置決め切欠き（１８，１９，２０）の間の角度間隔（複数）が異なるよう配置された位置決め切欠き（１８，１９，２０）であることを特徴とする請求項１−３の１つに記載の装置。
【請求項５】
対向板（５）が、受容リングとして環状に構成されていることを特徴とする請求項１−４の１つに記載の装置。                                        
【請求項６】
側壁（３，４）には、縁部切欠き（２５，２６，２７，２８）が構成されていることを特徴とする請求項１−５の１つに記載の装置。  
【請求項７】
他のセンサ（１７）の受容のため、基板（２）と一体に結合された弾性保持トング（１６）が設けてあることを特徴とする請求項１−６の１つに記載の装置。  
【手続補正２】
【補正対象書類名】明細書
【補正対象項目名】０００２
【補正方法】変更
【補正の内容】
【０００２】
このような装置は、ＤＥ１９８０４１６５Ａ１から公知である。この装置の場合、センサを囲む中実材料からなる、特に、プラスチック材料からなる環状センサホルダが設けてある。センサホルダは、この種の装置の場合に基本的に環状の構造のセンサホルダを半径方向へ横断する切欠きから構成された位置決め手段を備えている。切欠きには、センサの保持ケージのシャフト状突起を対応部材として差込むことができ、かくして、センサは、センサホルダ内に角度正しく（所定角度に）設置される。さらに、下記の特許文献２も知られている。
【特許文献１】ＤＥ１９８０４１６５Ａ１
【特許文献２】ＥＰ１００５６９２Ｂ１
【手続補正書】
【提出日】平成19年12月19日(2007.12.19)
【手続補正１】
【補正対象書類名】明細書
【補正対象項目名】０００１
【補正方法】変更
【補正の内容】
【０００１】
本発明は、請求項１の上位概念（前置部）に記載の、支持部材にセンサを固定する装置に関する。即ち、本発明は、対向板がセンサを囲みセンサホルダにセンサを正しい角度で導入するためセンサに構成された対応相手手段と共働する位置決め手段を備え支持部材にセンサを固定するためのセンサホルダであって、センサホルダが、金属板からなる形式のものに関する。
【手続補正２】
【補正対象書類名】明細書
【補正対象項目名】０００４
【補正方法】変更
【補正の内容】
【０００４】
この課題は、冒頭に述べた種類の装置において、本発明にもとづき、請求項１の特徴記載部分に開示の特徴によって解決される。即ち、本発明のセンサホルダは、側壁が形成された基板が設けてあり、基板および対向板が相互に所定間隔をもって配設されるよう、対向板が一体の結合部を介して側壁に結合されており、基板の底面が対向板の底面よりも大きく、位置決め手段が対向板に構成されており、基板と対向板との間には、他の側壁が構成されており、他の側壁および対向板には、相互に係合させることができ対向板と他の側壁との間に着脱自在な結合を構成するロック機構が構成されていることを特徴とする。
【手続補正３】
【補正対象書類名】明細書
【補正対象項目名】０００６
【補正方法】変更
【補正の内容】
【０００６】
本発明に係る装置の他の目的に適う実施形態は、従属請求項の対象である。以下に、本発明の各実施形態を示す。
センサを被うよう橋絡する保持橋絡部材が設けてあり、対向板および保持橋絡部材の少なくとも１つの端部には、保持橋絡部材を対向板に結合する連結ロック機構が構成されていることを特徴とする。（形態１）
対向板が、センサに向くその内面に、斜面（円錐面）と、該斜面に続く円筒形カラーとを有することを特徴とする。（形態２）
位置決め手段が、少なくとも２つの位置決め切欠きの間の角度間隔（複数）が異なるよう配置された位置決め切欠きであることを特徴とする。（形態３）
対向板が、受容リングとして環状に構成されていることを特徴とする。（形態４）
側壁には、縁部切欠きが構成されていることを特徴とする。（形態５）
他のセンサの受容のため、基板と一体に結合された弾性保持トングが設けてあることを特徴とする。（形態６）
なお特許請求の範囲に付記した図面参照符号は専ら理解を助けるためのものであり、図示の態様に限定することを意図するものではない。
【国際調査報告】
2008541106.tif 000006
2008541106.tif 000007
2008541106.tif 000008
2008541106.tif 000009
2008541106.tif 000010
2008541106.tif 000011